(57)【要約】【課題】ケース本体の側面部材の取り付け、取り外しの作業が簡便となる燃料電池ケースを提供する。【解決手段】燃料電池ケースは、燃料電池を搭載するケース本体１と、ケース本体１に着脱可能に取り付けられる側面部材４と、係合部６，７とを備える。係合部６，７は、側面部材４をケース本体１に取り付けるにあたり、側面部材４をケース本体１に係合させて重力方向における側面部材４の位置を仮決めさせる。【選択図】図２
2008103277.tif 000002
【特許請求の範囲】
【請求項１】
（ａ）燃料電池を搭載するケース本体と、
（ｂ）前記ケース本体に着脱可能に取り付けられる側面部材と、
（ｃ）前記側面部材を前記ケース本体に取り付けるにあたり、前記側面部材を前記ケース本体に係合させて重力方向における前記側面部材の位置を仮決めさせる係合部とを具備していることを特徴とする燃料電池ケース。
【請求項２】
請求項１において、前記係合部は前記ケース本体に設けられており、前記側面部材に向けて突出しており、前記側面部材の位置を仮決めさせるとき前記側面部材の下辺部を載置させる第１載置面を備えている燃料電池ケース。
【請求項３】
請求項２において、前記係合部は、前記ケース本体の底側に退避可能であり、且つ、前記ケース本体よりも突出可能とされていることを特徴とする燃料電池ケース。
【請求項４】
請求項１において、前記係合部は前記側面部材に設けられており、前記ケース本体に向けて突出しており、前記側面部材の位置を仮決めさせるとき前記ケース本体に載置されて前記側面部材を前記ケース本体に吊持させる燃料電池ケース。
【請求項５】
請求項１において、前記係合部は、前記ケース本体に設けられた第１係合部と、前記側面部材に設けられた第２係合部とを備えており、
前記第１係合部は、前記ケース本体から前記側面部材に向けて突出しており、前記側面部材の位置を仮決めさせるとき前記側面部材の下辺部を載置させる第１載置面を備えており、
前記第２係合部は、前記側面部材から前記ケース本体に向けて突出しており、前記側面部材の位置を仮決めさせるとき前記ケース本体に載置されて前記側面部材を前記ケース本体に吊持させる燃料電池ケース。
【発明の詳細な説明】
【技術分野】
【０００１】
本発明は側面部材が取り付けられている燃料電池ケースに関する。
【背景技術】
【０００２】
メンテナンスのため、筐体の側面板、天板を取り外し可能とした家庭用燃料電池コージェネシステムが知られている（特許文献１）。また、筐体の側面をアコーディオン式の開閉シャッターとした燃料電池発電装置が知られている（特許文献２）。更に、特許文献２には、引き戸式の扉が開示されている。更に内扉と観音扉式の外扉とをもつ燃料電池製造用の保温炉が知られている（特許文献３）。
【特許文献１】特開２００５−２５１４９３号公報
【特許文献２】特開平７−３３５２３６号公報
【特許文献３】特開２００６−６６０９９号公報
【発明の開示】
【発明が解決しようとする課題】
【０００３】
特許文献１においては、筐体に対して側面板が取り外し可能とされているが、その取り付け、取り外しの作業は面倒である。殊に、側面板のサイズが大きいとき、重いときには、側面板の取り付け、取り外しの作業は困難である。特許文献２においては、アコーディオン式の開閉シャッターは構造が複雑化される。更に、引き戸式の扉では、扉を引くためのスペースが必要とされ、周辺のスペースによっては、引き戸が開閉できなくなるおそれがある。特許文献３においては、観音扉式の外扉が旋回する空間が必須とされるため、大きな設置空間が必要とされる。周辺のスペースによっては、外扉が開閉できなくなるおそれがある。
【０００４】
本発明は上記した実情に鑑みてなされたものであり、ケース本体の側面部材の取り付け、取り外しの作業が簡便となる燃料電池ケースを提供することを課題とする。
【課題を解決するための手段】
【０００５】
本発明に係る燃料電池ケースは、（ａ）燃料電池を搭載するケース本体と、（ｂ）ケース本体に着脱可能に取り付けられる側面部材と、（ｃ）側面部材をケース本体に取り付けるにあたり、側面部材をケース本体に係合させて重力方向における側面部材の位置を仮決めさせる係合部とを具備していることを特徴とする。側面部材としては、ケース本体のうち正面、裏面である背面、横方側面のいずれに取り付けられるものでも良い。
【０００６】
側面部材をケース本体に取り付けるにあたり、係合部は、側面部材をケース本体に係合させることにより、重力方向における側面部材の位置を仮決めさせる。このように重力方向における側面部材の位置を仮決め（仮保持）した状態で、側面部材をケース本体に取り付けるため、その作業が容易となる。
【発明の効果】
【０００７】
本発明によれば、側面部材をケース本体に取り付けるにあたり、係合部は、側面部材をケース本体に係合させることにより、重力方向における側面部材の位置を仮決めさせる。このためケース本体に対して側面部材の取り付け、取り外しの作業が簡便となる。
【発明を実施するための最良の形態】
【０００８】
本発明に係る燃料電池ケースは、ケース本体と側面部材と係合部とを備えている。ケース本体は燃料電池を搭載する。側面部材は、ケース本体に着脱可能に取り付けられる。係合部は、側面部材をケース本体に取り付けるにあたり、側面部材をケース本体に係合させて重力方向における側面部材の位置を仮決めさせる。
【０００９】
係合部はケース本体に設けられている形態が例示される。この場合、係合部は、側面部材に向けて突出しており、側面部材の位置を仮決めさせるとき側面部材の下辺部を載置させる第１載置面を備えている形態が例示される。側面部材の位置を係合部に仮決めさせるとき、側面部材の下辺部がケース本体の係合部に載置されるため、重力方向における側面部材の位置の仮決めがなされる。
【００１０】
また本発明によれば、係合部は、ケース本体に設けられているため、ケース本体の底部側に退避可能であり、且つ、ケース本体よりも突出可能とされている形態が例示される。側面部材がケース本体に取り付けられた後、係合部をケース本体の底部側に退避させれば、係合部の突出が回避される。
【００１１】
また本発明によれば、係合部は側面部材に設けられている形態が例示される。この場合、係合部は、ケース本体に向けて突出しており、側面部材の重力方向における位置を仮決めさせるとき、ケース本体に載置される第２載置面を備えている形態が例示される。この場合、側面部材の係合部は側面部材をケース本体に吊持させるため、重力方向における側面部材の位置決めがなされる。
【００１２】
本発明によれば、係合部は、ケース本体に設けられた第１係合部と、側面部材に設けられた第２係合部とを備えている形態が例示される。この場合、第１係合部は、ケース本体から側面部材に向けて突出しており、側面部材の位置を仮決めさせるとき側面部材の下辺部を載置させる第１載置面を備えている形態が例示される。第２係合部は、側面部材からケース本体に向けて突出しており、側面部材の位置を仮決めさせるとき、ケース本体に載置されて側面部材をケース本体に吊持させる形態が例示れさる。
【実施例１】
【００１３】
以下、本発明の実施例１について図１〜図８を参照して説明する。本実施例は定置用の燃料電池システムに適用した例を示す。図１は、燃料電池ケースのケース本体１に側面部材４を取り付ける前の状態を示す。図２は側面部材４の下辺部４ｄをケース本体１の第１係合部６に載置した状態を示す。図３は、側面部材４の下辺部４ｄをケース本体１の第１係合部６に載置した状態で、側面部材４の下辺部４ｄを揺動中心域として側面部材４を矢印Ｄ３方向（取付方向）に揺動させて、第２係合部７をケース本体１に接触係合させている状態を示す。図４は、側面部材４をケース本体１に取り付けた状態を示す。
【００１４】
本実施例に係る燃料電池ケースは、図１に示すように、骨格がほぼ四角箱形状をなす金属製のケース本体１と、四角板状のパネル形状をなす金属製または硬質樹脂製の側面部材４とを備えている。ケース本体１は、正面となる第１側面１１と、背面となる第２側面１２と、互いに対向する第３側面１３および第４側面１４とを備えている。第１側面１１は、側面部材４で塞がれるメンテナンス用の開口１５と、開口１５の周縁部に形成された取付面１６とをもつ。
【００１５】
図１において、矢印Ｗ方向は、側面部材４の表面４ａが延設されている左右方向に沿った方向を示す。矢印Ｈ方向は、ケース本体１および側面部材４の高さ方向を示す。矢印Ｄ方向はケース本体１の奥行き方向を示す。
【００１６】
本実施例によれば、側面部材４を矢印Ｄ３方向つまりケース本体１の奥行き方向に沿ってケース本体１に接近させることにより、側面部材４を蓋の１種としてケース本体１に取り付ける方式が採用されている。従って側面部材４は引き戸方式でも、観音開き方式でもない。このような方式であれば、燃料電池ケースの設置スペースを抑えつつ、開口１５の開放面積を広くとることができ、メンテナンスに有利である。図１に示すように、開口１５は、ケース本体１の正面のほぼ全域に近い開放量とされている。
【００１７】
側面部材４は燃料電池ケースの正面となり、ケース本体１の正面となる側面１１側の取付面１６に着脱可能に取り付けられるパネルである。側面部材４はほぼ四角形状をなしており、上辺部４ｕと、下辺部４ｄと、２つの側辺部４ｓと、厚み方向に貫通する通気口４ｘとを備えている。側面部材４の高さは、ケース本体１の高さとほぼ対応する。側面部材４の幅は、ケース本体１の幅とほぼ対応する。幅は矢印Ｗ方向に沿った方向の寸法を意味する。具体的には、側面部材４の高さは５０センチメートル以上または８０センチメートル以上とされている。側面部材４の幅は５０センチメートル以上または８０センチメートル以上とされている。このような側面部材４は、軽量化されているものの、少ない作業者ではその取り扱い作業は容易ではない。
【００１８】
図１に示すように、側面部材４の側辺部４ｓは、ケース本体１に向けて円弧状に曲成されている。側面部材４の側辺部４ｓの下部には、側辺部４ｓから矢印Ｄ方向に沿って延設された耳状の取付鍔部４０が形成されている。取付鍔部４０には第１ボルト挿入孔４１が形成されている。第１ボルト挿入孔４１は矢印Ｗ方向に沿った軸芯をもつ。図１に示すように、ケース本体１の第３側面１３および第４側面１４の下部には、第１取付孔１７が形成されている。第１取付孔１７の軸芯は、第１ボルト挿入孔４１の軸芯とほぼ平行であり、矢印Ｗ方向に沿っている。
【００１９】
更に図１に示すように、側面部材４のうちケース本体１の上辺部１ｕに対向する側には、第２ボルト挿入孔４２が形成されている。第２ボルト挿入孔４２の軸芯は矢印Ｄ方向とほぼ平行な方向に沿っている。図１に示すように、ケース本体１の上辺部１ｕ側には、第２取付孔１８が形成されている。第２取付孔１８の軸芯は、第２ボルト挿入孔４２の軸芯とほぼ平行であり、矢印Ｄ方向に沿っている。
【００２０】
ここで、側面部材４がケース本体１に取り付けられるとき、第１ボルト挿入孔４１および第１取付孔１７は、第１取付ボルト３１を挿入できるように、互いに対面するように設定されている。且つ、第２ボルト挿入孔４２および第２取付孔１８は、第２取付ボルト３２を挿入できるように、互いに対面するように設定されている。図１から理解できるように、第１取付ボルト３１は軌跡Ｐ１に沿って第１取付孔１７に取り付けられる。第２取付ボルト３２は軌跡Ｐ２に沿って第２取付孔１８に取り付けられる。本実施例によれば、側面部材４の内面４ｉには、板状をなすインシュレータ材８（内層部材）が取り付けられている。インシュレータ材８は、防音用、振動低減用、断熱用等を兼ねており、側面部材４の材質よりも軟質な材料（例えばウレタンフォーム等の樹脂発泡体）で形成されている。
【００２１】
図１〜図３に示すように、係合部５は側面部材４の位置を仮決めさせるためのものであり、ケース本体１に設けられた第１係合部６と、側面部材４の上側に設けられた第２係合部７とを備えている。図２に示すように、第１係合部６はケース本体１の底部側に設けられている。第１係合部６はケース本体１の脚部としても機能する。側面部材４をケース本体１の取付面１６に取り付けるにあたり、第１係合部６は、側面部材４の下辺部４ｄをケース本体１に載せて係合させることにより、重力方向（Ｇ方向）における側面部材４の位置を仮決めさせる機能をもつ。
【００２２】
図１および図３に示すように、第１係合部６は床面ＦＡに設置されており、側面部材４に向けて突出方向（矢印Ａ１方向）に突出している。第１係合部６は、先端に向かうにつれて高さが低くなるように傾斜する傾斜面６４と、水平に沿った第１載置面６５とをもつ。第１係合部６は、側面部材４の下辺部４ｄを載置するための第１載置面６５を備えている。ケース本体１に対して側面部材４の重力方向の位置を仮決めさせるとき、第１係合部６の第１載置面６５は、側面部材４の下辺部４ｄを載置させる部位である。図１に示すように、第１係合部６は、金属板等の硬質板を枠状に形成した枠部６０と、枠部６０の内部に装填されたウレタンゴム等の軟質の装填材料が装填されて形成された装填部６１とを備えている。装填部６１は振動減衰に寄与する。
【００２３】
図２に示すように、第２係合部７は、側面部材４の上辺部４ｕからケース本体１に向けて突出している。側面部材４の位置を仮決めさせるとき、第２係合部７は、ケース本体１の上辺部１ｕに載置されて側面部材４をケース本体１に吊持させ得る機能をもつ。図２に示すように、第２係合部７は、側面部材４の上辺部４ｕにおいてケース本体１に向けて横方向に（矢印Ｄ３方向）に沿って延設された鍔状をなす延設係合部７２を備えている。
【００２４】
延設係合部７２は、側面部材４の表面４ａに沿った方向と交差する方向（矢印Ｄ３方向、側面部材４の取付方向）に沿って延設されている。側面部材４の上辺部４ｕは第２ボルト挿入孔４２を備えている。第２ボルト挿入孔４２には第２取付ボルト３２が挿入可能とされている。なお、図２に示すように、ケース本体１の底面板１ｖは第１係合部６の上面よりもΔｈぶん持ち上げられており、水侵入性が抑えられている。
【００２５】
次に、側面部材４をケース本体１に取り付ける作業について説明する。先ず、作業者は手作業で側面部材４を支持し、図２に示すように側面部材４の下辺部４ｄを、ケース本体１の複数個（２個）の第１係合部６の平坦状の第１載置面６５に載置させる。この作業により、側面部材４の重力方向の基本的な位置決めがなされる。ここで、複数個（２個）の第１係合部６の平坦状の第１載置面６５の高さ位置は互いに同じに設定されている。このため、必要に応じて、作業者は、側面部材４を第１係合部６に載置させたまま、側面部材４を左右方向（図１に示す矢印Ｗ方向）にスライド移動させることにより、側面部材４の左右方向の位置を調整することができる。この作業についても、側面部材４の下辺部４ｄを第１係合部６に載置させたまま行い得るため、楽である。しかも第１係合部６は複数個設けられており、側面部材４の下辺部４ｄの延びる方向に沿って連続されておらず、側面部材４の下辺部４ｄと第１係合部６との接触面積が低減されるため、上記スライド移動における摩擦抵抗が低減される。
【００２６】
この場合、図２に示すように、側面部材４の下辺部４ｄをケース本体１に接近させると共に、第２係合部７の延設係合部７２をケース本体１から離間させるように、側面部材４を傾斜させることが好ましい。延設係合部７２とケース本体１との干渉、衝突を避けるためである。
【００２７】
図２に示すように側面部材４の下辺部４ｄは断面でＬの字形状をなしている。このため、下辺部４ｄにおける接触面積が増加するため、受圧面積が小さくなる。この場合、側面部材４の下辺部４ｄに与える負荷、第１係合部６に与える負荷が低減される。殊に、側面部材４の下辺部４ｄを構成する板部４０１と板部４０２との交点域４０３は丸みをもつ。このような交点域４０３が側面部材４の揺動中心域となれば、側面部材４の揺動性が確保される。
【００２８】
なお、場合によっては、側面部材４の下辺部４ｄをケース本体１の第１係合部６の第１載置面６５に載置させたとき、側面部材４の第２係合部７の延設係合部７２がケース本体１の上辺部１ｕに接触させることにしても良い。
【００２９】
ここで図２に示すように、ケース本体１の下辺部１ｄには、鉛直方向の上方に向けて延設された下フランジ１１２が一体的に形成されている。また、ケース本体１の上辺部１ｕには、鉛直方向の下方に向けて延設された上フランジ１１０が一体的に形成されている。
【００３０】
次に、第１係合部６に載置されている側面部材４の下辺部４ｄを揺動支点域として、側面部材４をケース本体１に向けて矢印Ｄ３方向（取付方向）に向けて、作業者は手作業で揺動させる。即ち、側面部材４の傾動角度θ（図２参照）が小さくなるように、側面部材４の延設係合部７２はケース本体１の上辺部１ｕに接近する。これにより側面部材４は、より一層、鉛直方向に沿った方向となる。
【００３１】
この結果、図４に示すように、側面部材４の第２係合部７の延設係合部７２は、ケース本体１の上辺部１ｕの上面に乗り上げる。結果として、側面部材４の第２係合部７は、ケース本体１の上辺部１ｕに載置されつつ係合する。この状態であれば、第２取付ボルト３２が締結される前であっても、側面部材４の第２係合部７の延設係合部７２とケース本体１の上辺部１ｕとの摩擦係合により、側面部材４の転倒が抑えられる。従って作業者の作業が楽になる。
【００３２】
なお、側面部材４の下辺部４ｄをケース本体１の第１係合部６に載置させる前に、側面部材４の第２係合部７の延設係合部７２をケース本体１の上辺部１ｕに載置させて係合させることも考えられる。しかしこの場合には、作業者が側面部材４の下辺部４ｄを視認し辛くなるおそれがある。
【００３３】
本実施例によれば、図４に示すように、側面部材４の第２係合部７の延設係合部７２は、ケース本体１の上辺部１ｕの上面に充分に乗り上げた状態では、図４に示すように、側面部材４の下辺部４ｄの下面は、第１係合部６の第１載置面６５から隙間６６ぶん浮き上がる。このため、側面部材４の下辺部４ｄの下面は、第１係合部６の第１載置面６５に対して非接触となる。従って、第１係合部６の第１載置面６５に水滴が存在したとしても、水滴は側面部材４の下辺部４ｄに接触しにくくなる。
【００３４】
上記したように側面部材４の第２係合部７の延設係合部７２は、ケース本体１の上辺部１ｕに乗り上げ、ケース本体１の上辺部１ｕに載置される。この場合、図４に示すように、第２取付孔１８はケース本体１の上辺部１ｕの上フランジ１１０に形成されている。この第２取付孔１８は、側面部材４の第２ボルト挿入孔４２に対面して連通する。この状態で、第２ボルト挿入孔４２に挿入した第２取付ボルト３２を、ケース本体１の第２取付孔１８に螺合させて締結させる。
【００３５】
また上記したように側面部材４がケース本体１に嵌合すると、図１から理解できるように、ケース本体１の第１取付孔１７と側面部材４の第１ボルト挿入孔４１とは、軌跡Ｐ１で示すように、互いに対面する。この状態で、第１ボルト挿入孔４１に挿入した第１取付ボルト３１を第１取付孔１７に螺合させて取り付ける。図１から理解できるように、第１取付ボルト３１は、燃料電池ケースの正面ではなく、横方向から取り付けられる。このため、燃料電池ケースの正面に存在する視認者は、第１取付ボルト３１の頭部３１ｈを視認しにくい。この結果、外観意匠が向上する。
【００３６】
更に、上記したように側面部材４をケース本体１に取付けたら、図８に示すように、天板９を用いる。天板９は、鉛直方向の下方向に指向する天板フランジ９０をもつ。天板９を上方からケース本体１に嵌めて被着させる。この結果、天板９の天板フランジ９０が第２取付ボルト３２の頭部３２ｈを外方から覆う。このため、外方から第２取付ボルト３２の頭部３２ｈは視認されない。この結果、外観意匠が向上する。要するに本実施例によれば、燃料電池ケースの正面側の視認者から第１取付ボルト３１および第２取付ボルト３２の双方は視認されず、意匠性が高まる。
【００３７】
上記したように側面部材４がケース本体１に取り付けられたとき、図８に示すように、インシュレータ材８の上部表面８ｕは、ケース本体１の上辺部１ｕ側の上フランジ１１０に密着するため、シールされる。更に側面部材４がケース本体１に取り付けられたとき、図８に示すように、インシュレータ材８の下部表面８ｄは、ケース本体１の下辺部１ｄ側の下フランジ１１２に密着するため、シールされる。このようにインシュレータ材８によりシールされると、外部の雨水がケース本体１の内部に進入することが抑制される。
【００３８】
上記したように弾発力をもつインシュレータ材８がケース本体１に密着すると、その反力が発生し、その反力が大きくなると、側面部材４がケース本体１の側に移行しにくくなるおそれがある。このため本実施例によれば、その反力が発生する前に、あるいは、反力が小さいうちに、側面部材４の第２係合部７の延設係合部７２がケース本体１の上辺部１ｕに乗り上げて係合するように設定されている。
【００３９】
次に、ケース本体１に取り付けられている側面部材４を取り外す場合について説明する。先ず、作業者は天板９、第１取付ボルト３１、第２取付ボルト３２を外す。第１取付ボルト３１および第２取付ボルト３２が取り外された状態であっても、側面部材４の第２係合部７の延設係合部７２がケース本体１の上辺部１ｕに載置されて摩擦係合しているため、側面部材４はケース本体１の上辺部１ｕに仮保持されている。この状態で、側面部材４の第２係合部７の延設係合部７２をケース本体１の上辺部１ｕから取り外す。そして、側面部材４の下辺部４ｄを第１係合部６に載置して支持する。このように側面部材４を取り外すときにも、側面部材４を第１係合部６に仮保持できるため、作業が楽となる。
【００４０】
図６（Ａ）は側面部材４をケース本体１に取り付ける前の状態を示す。図６（Ｂ）は側面部材４をケース本体１に取り付けた後の状態を示す。図７（Ａ）は側面部材４をケース本体１に取り付ける前の状態を示す。図７（Ｂ）は側面部材４をケース本体１に取り付けた後の状態を示す。
【００４１】
以上説明したように本実施例によれば、側面部材４をケース本体１に取り付けるにあたり、側面部材４をケース本体１の第１係合部６に載置させることにより、側面部材４の位置を仮決めできる。更に側面部材４の第２係合部７をケース本体１の上辺部１ｕに係合させることにより、側面部材４の位置を更に仮決めできる。このため、作業者が側面部材４を保持するのに過剰な労力を使うことが軽減される。作業者は無理な姿勢をとらず、側面部材４を取り付けたり、取り外したりできる。よって作業者は一人で済ませることができる。勿論、複数の作業者で側面部材４の取付け、取外しを行っても良い。
【実施例２】
【００４２】
図９は実施例２を示す。本実施例は実施例１と基本的には同様の構成および同様の作用効果を有する。以下、実施例１と相違する部分を中心として説明する。
【００４３】
図９に示すように、第１係合部６は、床面ＦＡよりも持ち上げられており、ケース本体１の底部側に退避させる方向（矢印Ａ２方向）に退避可能である。また第１係合部６は、ケース本体１よりも突出する方向（矢印Ａ１方向）に突出可能とされている。第１係合部６は、凹または凸からなるレール状の案内部６ａをもつ。ケース本体１は凸または凹からなるレール状の被案内部１ａをもつ。被案内部１ａは、第１係合部６の案内部６ａを案内する。更にケース本体１は、第１係合部６を案内させる案内部１ｃ，１ｄをもつ。
【００４４】
側面部材４をケース本体１に取り付けるときには、作業者は、手作業で、第１係合部６をケース本体１よりも突出させる方向（矢印Ａ１方向）に突出させる。そして前述したように、側面部材４の下辺部４ｄをケース本体１の第１係合部６に載置させることにより、側面部材４の重力方向の位置を仮決めする。必要に応じて側面部材４の左右方向の位置も仮決めする。
【００４５】
その後、実施例１と同様に、第２取付ボルト３２および第１取付ボルト３１により、側面部材４を締結してケース本体１に固定する。このように側面部材４をケース本体１に組み付ける作業が終えたら、作業者が手作業で第１係合部６を押し込んで退避方向（矢印Ａ２方向）に移動させ、ケース本体１の底部側に退避させる。この場合、第１係合部６がケース本体１および側面部材４から過剰に外方に突出しないため、第１係合部６が邪魔になることが抑えられる。
【００４６】
また、ケース本体１に組み付けられている側面部材４をケース本体１から取り外すときには、退避されている第１係合部６を作業者が引っ張って突出方向（矢印Ａ１方向）に移動させることにより、ケース本体１および側面部材４から外方に突出させれば良い。この場合、側面部材４の下辺部４ｄを第１係合部６に載せて仮保持できるため、実施例１と同様に作業者の作業が楽になる。なお、ケース本体１の底部には床面ＦＡに着地する脚部１ｒが設けられている。
【実施例３】
【００４７】
図１０は実施例３を示す。本実施例は実施例１と基本的には同様の構成および同様の作用効果を有する。以下、実施例１と相違する部分を中心として説明する。本実施例によれば、第１係合部６は設けられているが、第２係合部７は設けられていない。
【００４８】
先ず、作業者は手作業で側面部材４を支持し、図１０に示すように、側面部材４の下辺部４ｄをケース本体１の第１係合部６に載置させる。
【００４９】
次に、第１係合部６に載置されている側面部材４の下辺部４ｄを揺動支点域として、側面部材４をケース本体１に向けて矢印Ｄ３方向（取付方向）に向けて、作業者は手作業で揺動させる。これにより側面部材４は鉛直方向に沿った方向となる。そして第２取付孔１８と第２ボルト挿入孔４２とを対面させる。この状態で、第２ボルト挿入孔４２に挿入した第２取付ボルト３２をケース本体１の第２取付孔１８に螺合させて取り付ける。実施例１と同様に、第１取付ボルト３１により側面部材４の下部をケース本体１に取り付ける。
【実施例４】
【００５０】
図１１は実施例４を示す。本実施例は実施例１と基本的には同様の構成および同様の作用効果を有する。以下、実施例１と相違する部分を中心として説明する。先ず、作業者は手作業で、側面部材４の第２係合部７の延設係合部７２を、ケース本体１の上辺部１ｕに接触係合させる。これにより側面部材１の重力方向の位置を仮決めする。必要に応じて、側面部材１の左右方向の位置の仮決めを行う。
【００５１】
その後、実施例１と同様に、第２ボルト挿入孔４２に挿入した第２取付ボルト３２を、ケース本体１の第２取付孔１８に螺合させて締結させる。更に実施例１と同様に、第１取付ボルト３１により側面部材４の下部をケース本体１に取り付ける。本実施例によれば、図１１に示すように、通常時には、第１係合部６は、ケース本体１の底部に退避している。必要に応じて、第１係合部６をケース本体１よりも突出する方向（矢印Ａ１方向）に突出させることができる。
【００５２】
（その他）
上記した実施例では、係合部５は側面部材４の位置を仮決めさせるためのものであり、ケース本体１に設けられた第１係合部６と、側面部材４の上側に設けられた第２係合部７とを備えている。これに限らず、第１係合部６のみとして、第２係合部７を廃止しても良い。更に第２係合部７のみとして、第１係合部６を廃止しても良い。上記した実施例では第１係合部６は２個とされているが、３個でも、４個でも良い。側面部材４の内面４ｉには、板状をなすインシュレータ材８が取り付けられているが、インシュレータ材８は廃止しても良い。本発明は上記し且つ図面に示した実施例のみに限定されるものではなく、要旨を逸脱しない範囲内で適宜変更して実施可能である。ある実施例に設けられている特有の構造および機能は、他の実施例においても適用可能である。
【産業上の利用可能性】
【００５３】
本発明は定置用、車両用、電気機器用、電子機器用、携帯用の燃料電池システムに利用できる。
【図面の簡単な説明】
【００５４】
【図１】実施例１に係り、燃料電池ケースのケース本体に側面部材を取り付ける前の状態を示す斜視図である。
【図２】実施例１に係り、側面部材の下辺部をケース本体の第１係合部に載置して位置を仮決めしている状態を示す断面図である。
【図３】実施例１に係り、側面部材の下辺部をケース本体の第１係合部に載置した状態で、側面部材を揺動させて第２係合部をケース本体に接触係合させている状態を示す断面図である。
【図４】実施例１に係り、側面部材をケース本体に取り付けた状態を示す断面図である。
【図５】実施例１に係り、側面部材の下辺部をケース本体の第１係合部に載置した状態の全体の概念を示す図である。
【図６】実施例１に係り、（Ａ）は側面部材をケース本体に取り付ける前の状態を示す第１係合部付近の部分斜視図であり、（Ｂ）は側面部材をケース本体に取り付けた後の状態を示す第１係合部付近の部分斜視図であり。
【図７】実施例１に係り、（Ａ）は側面部材をケース本体に取り付ける前の状態を示す第２係合部付近の部分斜視図であり、（Ｂ）は側面部材をケース本体に取り付けた後の状態を示す第２係合部付近の部分斜視図であり。
【図８】実施例１に係り、側面部材をケース本体に取り付けると共に、天板を取り付けた状態を示す断面図である。
【図９】実施例２に係り、側面部材をケース本体に取り付けた状態を示す断面図である。
【図１０】実施例３に係り、側面部材の下辺部をケース本体の第１係合部に載置している状態を示す断面図である。
【図１１】実施例４に係り、側面部材の第２係合部をケース本体の上辺部に係合させて位置を仮決めしている状態を示す断面図である。
【符号の説明】
【００５５】
１はケース本体、１５は開口、４は側面部材、５は係合部、６は第１係合部、７は第２係合部を示す。
【図１】
2008103277.tif 000003
【図２】
2008103277.tif 000004
【図３】
2008103277.tif 000005
【図４】
2008103277.tif 000006
【図５】
2008103277.tif 000007
【図６】
2008103277.tif 000008
【図７】
2008103277.tif 000009
【図８】
2008103277.tif 000010
【図９】
2008103277.tif 000011
【図１０】
2008103277.tif 000012
【図１１】
2008103277.tif 000013